(57)【特許請求の範囲】
【請求項１】
同一形状のスクリーンバーを平行に配設して構成したバースクリーンと、該バースクリーンの上部に設けたエプロンと、バースクリーン及びエプロンに沿って移動することによってバースクリーンに捕捉されたゴミを掻き上げるためのレーキとを備えたバースクリーン式除塵機におけるバースクリーンを、粗目スクリーンバー及び細目スクリーンバーを平行に配設して構成した粗目・細目バースクリーンに置き換えるためのバースクリーン式除塵機の改修方法において、粗目・細目バースクリーンを構成する細目スクリーンバーの後端縁が、改修前のバースクリーン式除塵機のバースクリーンを構成するスクリーンバーの後端縁及びエプロンの前面の位置より流入側に位置するように粗目・細目バースクリーンを設置するようにしたことを特徴とするバースクリーン式除塵機の改修方法。
【請求項２】
改修前のレーキの先端軌跡と、改修後のレーキの先端軌跡とが変わらないようにしたことを特徴とする請求項１に記載のバースクリーン式除塵機の改修方法。
【請求項３】
前記粗目・細目バースクリーンを、粗目スクリーンバーの前端縁が、細目スクリーンバーの前端縁より流入側に、粗目スクリーンバーの後端縁が、細目スクリーンバーの後端縁より流出側に、それぞれ位置するように構成するようにしたことを特徴とする請求項１又は２に記載のバースクリーン式除塵機の改修方法。
【請求項４】
前記レーキを、粗目・細目バースクリーンの粗目スクリーンバー及び細目スクリーンバー間に挿入される平歯を形成した平板状のレーキ板を備えて構成するようにしたことを特徴とする請求項１、２又は３に記載のバースクリーン式除塵機の改修方法。
【発明の詳細な説明】
【技術分野】
【０００１】
本発明は、バースクリーン式除塵機の改修方法に関し、特に、同一形状のスクリーンバーを平行に配設して構成したバースクリーンと、該バースクリーンの上部に設けたエプロンと、バースクリーン及びエプロンに沿って移動することによってバースクリーンに捕捉されたゴミを掻き上げるためのレーキとを備えたバースクリーン式除塵機におけるバースクリーンを、粗目スクリーンバー及び細目スクリーンバーを平行に配設して構成した粗目・細目バースクリーンに置き換えるためのバースクリーン式除塵機の改修方法に関するものである。
【背景技術】
【０００２】
従来、沈砂池の除塵設備等に設置される除塵機として、同一形状のスクリーンバーを平行に配設して構成したバースクリーンを備えたバースクリーン式除塵機（例えば、特許文献１参照。）や、粗目スクリーンバー及び細目スクリーンバーを平行に配設して構成した粗目・細目バースクリーンを備えたバースクリーン式除塵機（例えば、特許文献２参照。）が汎用されている。
【先行技術文献】
【特許文献】
【０００３】
【特許文献１】特開２００２−６９９７５号公報
【特許文献２】特開２０１０−２０３０９３号公報
【発明の概要】
【発明が解決しようとする課題】
【０００４】
ところで、近年、１台のバースクリーン式除塵機によって下水に含まれる細塵を除去することができるように、沈砂池の除塵設備に設置された同一形状のスクリーンバーを平行に配設して構成したバースクリーンを備えたバースクリーン式除塵機を、粗目スクリーンバー及び細目スクリーンバーを平行に配設して構成した粗目・細目バースクリーンを備えたバースクリーン式除塵機に改修する要請がある。
【０００５】
この改修方法としては、大きく分けて、既設のバースクリーン式除塵機を、新しいバースクリーン式除塵機と入れ替える方法と、既設のバースクリーン式除塵機の構成部材の一部を、新しい構成部材に置き換える方法とがある。
【０００６】
このうち、後者の改修方法は、前者の改修方法と比較すると、既設のバースクリーン式除塵機の構成部材の少なくとも一部を活用するため、改修費用を抑制することができるという利点がある。
【０００７】
しかしながら、後者の改修方法の場合（特に、スクリーンバーの目幅が概ね２０ｍｍ以下の細目の場合）、同一形状のスクリーンバーを平行に配設して構成したバースクリーンを備えたバースクリーン式除塵機と、粗目スクリーンバー及び細目スクリーンバーを平行に配設して構成した粗目・細目バースクリーンを備えたバースクリーン式除塵機とでは、バースクリーンに対するエプロンの配置位置やバースクリーンに捕捉されたゴミを掻き上げるためのレーキの構成が異なり、これに対応するための改修が必要となり、改修費用の抑制効果に限度があった。
【０００８】
本発明は、上記従来の既設のバースクリーン式除塵機の構成部材の一部を、新しい構成部材に置き換えるバースクリーン式除塵機の改修方法の有する問題点に鑑み、既設のレーキの先端軌跡が変わることのない粗目・細目バースクリーンの配置位置及びレーキ形状を提供し、改修が必要な箇所及び部品を少なくすることにより、改修費用を抑制することができるとともに、細目スクリーンバー間に捕捉されたゴミをレーキによって掻き出し、掻き上げることができるようにしたバースクリーン式除塵機の改修方法を提供することを目的とする。
【課題を解決するための手段】
【０００９】
上記目的を達成するため、本発明のバースクリーン式除塵機の改修方法は、同一形状のスクリーンバーを平行に配設して構成したバースクリーンと、該バースクリーンの上部に設けたエプロンと、バースクリーン及びエプロンに沿って移動することによってバースクリーンに捕捉されたゴミを掻き上げるためのレーキとを備えたバースクリーン式除塵機におけるバースクリーンを、粗目スクリーンバー及び細目スクリーンバーを平行に配設して構成した粗目・細目バースクリーンに置き換えるためのバースクリーン式除塵機の改修方法において、粗目・細目バースクリーンを構成する細目スクリーンバーの後端縁が、改修前のバースクリーン式除塵機のバースクリーンを構成するスクリーンバーの後端縁及びエプロンの前面の位置より流入側に位置するように粗目・細目バースクリーンを設置するようにしたことを特徴とする。
【００１０】
この場合において、改修前のレーキの先端軌跡と、改修後のレーキの先端軌跡とが変わらないようにすることができる。
【００１１】
また、前記粗目・細目バースクリーンを、粗目スクリーンバーの前端縁が、細目スクリーンバーの前端縁より流入側に、粗目スクリーンバーの後端縁が、細目スクリーンバーの後端縁より流出側に、それぞれ位置するように構成するようにすることができる。
【００１２】
また、前記レーキを、粗目・細目バースクリーンの粗目スクリーンバー及び細目スクリーンバー間に挿入される平歯を形成した平板状のレーキ板を備えて構成するようにすることができる。
【発明の効果】
【００１３】
本発明のバースクリーン式除塵機の改修方法によれば、粗目・細目バースクリーンを構成する細目スクリーンバーの後端縁が、改修前のバースクリーン式除塵機のバースクリーンを構成するスクリーンバーの後端縁及びエプロンの前面の位置より流入側に位置するように粗目・細目バースクリーンを設置するようにすることにより、細目スクリーンバー間に捕捉されたゴミをレーキによって掻き出し、掻き上げることができるようにしながら、既設のバースクリーン式除塵機のエプロンをそのまま使用してもレーキと干渉しないようにすることができ、改修が必要な箇所及び部品を少なくすることによって改修費用を抑制することができる。
【００１４】
また、改修前のレーキの先端軌跡と、改修後のレーキの先端軌跡とが変わらないようにすることにより、改修が必要な箇所及び部品を少なくすることによって改修費用を抑制することができる。
【００１５】
また、前記粗目・細目バースクリーンを、粗目スクリーンバーの前端縁が、細目スクリーンバーの前端縁より流入側に、粗目スクリーンバーの後端縁が、細目スクリーンバーの後端縁より流出側に、それぞれ位置するように構成するようにすることにより、粗目スクリーンバーの強度を高め、細目スクリーンバーが流木等の衝突によって損傷することを防止することができる。
【００１６】
また、前記レーキを、粗目・細目バースクリーンの粗目スクリーンバー及び細目スクリーンバー間に挿入される平歯を形成した平板状のレーキ板を備えて構成するようにすることにより、簡易な構造のレーキを使用することができ、改修費用を抑制することができる。
【図面の簡単な説明】
【００１７】
【図１】本発明のバースクリーン式除塵機の改修方法を適用する改修前のバースクリーン式除塵機の一例を示す説明図で、（ａ）は側面図、（ｂ）は要部の説明図である。
【図２】本発明のバースクリーン式除塵機の改修方法を適用した改修後のバースクリーン式除塵機の一例を示す説明図で、（ａ）は側面図、（ｂ）は要部の説明図である。
【図３】同バースクリーン式除塵機の要部の平面図で、（ａ）は改修前のバースクリーン式除塵機、（ｂ）は改修後のバースクリーン式除塵機である。
【図４】同改修後のバースクリーン式除塵機の要部の平面図である。
【図５】他のバースクリーン式除塵機の改修方法（比較例）を適用した改修後のバースクリーン式除塵機の一例を示す説明図で、（ａ）は側面図、（ｂ）は要部の説明図である。
【発明を実施するための形態】
【００１８】
以下、本発明のバースクリーン式除塵機の改修方法の実施の形態を、図面に基づいて説明する。
【００１９】
図１及び図３（ａ）に、改修前の既設のバースクリーン式除塵機Ｊ０を示す。
このバースクリーン式除塵機Ｊ０は、同一形状のスクリーンバー１０を平行に配設して構成したバースクリーンＳ０と、このバースクリーンＳ０の上部に設けたエプロン４と、バースクリーンＳ０及びエプロン４に沿って移動することによってバースクリーンＳ０に捕捉されたゴミを掻き上げるためのレーキ３０とを備えるようにしている。
【００２０】
そして、このバースクリーン式除塵機Ｊ０は、地上部のバースクリーンＳ０の上部に、レーキ３０によって掻き揚げられてきたゴミを誘導するエプロン４を設けるとともに、このエプロン４の終端部に、レーキ３０によって掻き揚げられてきたゴミをレーキ３０から分離するワイパー６１及び分離したゴミを回収するシュート６２を設けるようにしている。
【００２１】
レーキ３０は、上下の本体スプロケット７１に架設されたチェーン７２からなるレーキ駆動機構７により駆動するようにし、ガイドレール３３によって案内されてバースクリーンＳ０に沿って循環しながら、バースクリーンＳ０の流入側でゴミを掻き揚げるようにする。
【００２２】
ここで、図３（ａ）に示すように、バースクリーン式除塵機Ｊ０のバースクリーンＳ０を構成するスクリーンバー１０の板厚Ｔ０は、例えば、９ｍｍに、スクリーンバー１０の幅Ｗ０は、例えば、７５ｍｍに、スクリーンバー１０の目幅Ｍ０は、例えば、３５ｍｍに、それぞれ設定されている。
また、バースクリーンＳ０は、スクリーンバー１０を、通しボルト５１及びディスタンスピース５２を用いて組み立てるようにしている。
【００２３】
このバースクリーン式除塵機Ｊ０の改修するに当たり、ここでは、図２、図３（ｂ）及び図４に示すように、バースクリーン式除塵機Ｊ０におけるバースクリーンＳ０を、粗目スクリーンバー１１及び細目スクリーンバー２１を平行に配設、具体的には、間隔をあけて配設した粗目スクリーンバー１１の間に複数本の細目スクリーンバー２１を配設して構成した粗目・細目バースクリーンＳに置き換えるようにする。
【００２４】
この場合、粗目・細目バースクリーンＳを構成する細目スクリーンバー２１の後端縁が、改修前のバースクリーンＳ０を構成するスクリーンバー１０の後端縁及びエプロン４の前面の位置より流入側に位置するように粗目・細目バースクリーンＳを設置するようにする。
【００２５】
ここで、図３（ｂ）に示すように、バースクリーン式除塵機Ｊの粗目・細目バースクリーンＳを構成する粗目スクリーンバー１１の板厚Ｔ１は、例えば、９ｍｍに、粗目スクリーンバー１１の幅Ｗ１は、例えば、７５ｍｍに、粗目スクリーンバー１１の目幅Ｍ１は、例えば、８４ｍｍに、また、細目スクリーンバー２１の板厚Ｔ２は、例えば、（４〜）６ｍｍに、細目スクリーンバー２１の幅Ｗ２は、例えば、３０ｍｍに、細目スクリーンバー２１の目幅Ｍ２は、例えば、１２ｍｍに、それぞれ設定されている。
また、粗目・細目バースクリーンＳは、粗目スクリーンバー１１及び細目スクリーンバー２１を、通しボルト５１及びディスタンスピース５２を用いて組み立てるようにしている。
【００２６】
また、粗目・細目バースクリーンＳは、粗目スクリーンバー１１の前端縁が、細目スクリーンバー２１の前端縁より流入側に（例えば、２５ｍｍ）、粗目スクリーンバー１１の後端縁が、細目スクリーンバー２１の後端縁より流出側に（例えば、２０ｍｍ）、それぞれ位置するように構成するようにしている。
これにより、粗目スクリーンバー１１の強度を高め、細目スクリーンバー２１が流木等（図４に示すように、直径Ｄ、例えば、１００ｍｍの物体）の衝突によって損傷することを防止することができる。
【００２７】
また、レーキ３は、上下の本体スプロケット７１に架設されたチェーン７２からなるレーキ駆動機構７により駆動するようにし、ガイドレール３３によって案内されて粗目・細目バースクリーンＳに沿って循環しながら、粗目・細目バースクリーンＳの流入側でゴミを掻き揚げるためのもので、粗目・細目バースクリーンＳの粗目スクリーンバー１１及び細目スクリーンバー２１間に挿入される平歯を形成した平板状のレーキ板３１を備えて構成するようにしている。
ここで、レーキ板３１は、細目スクリーンバー２１間に捕捉されたゴミをレーキ板３１の平歯によって掻き出し、掻き上げることができるように、細目スクリーンバー２１の幅方向の略全長（通常、細目スクリーンバー２１の幅Ｗ２の７０％以上、好ましくは、８０％以上。本実施例においては、８３％）に亘って挿入される形状にすることが好ましい。
また、レーキ板３１は、本実施例においては、金属板にレーザーカット加工することによりに平歯を形成したものを使用するようにしている。
これにより、簡易な構造のレーキ３を使用することができ、改修費用を抑制することができる。
【００２８】
なお、本実施例において、レーキ３は、上下の本体スプロケット７１に架設されたチェーン７２からなるレーキ駆動機構７により駆動するようにし、粗目・細目バースクリーンに沿って循環しながら、粗目・細目バースクリーンＳの流入側でゴミを掻き揚げるようにしたが、レーキ３に代えて、例えば、１つのレーキをレバー等のレーキ駆動機構により往復駆動するようにしたレーキ等を用いることもできる。
【００２９】
ところで、本実施例において、粗目・細目バースクリーンＳは、細目スクリーンバー２１間に捕捉されたゴミをレーキ３によって掻き出し、掻き上げることができるようにしながら、既設のバースクリーン式除塵機Ｊ０のエプロン４をそのまま使用してもレーキ３と干渉しないようにすることができ、かつ、粗目スクリーンバー１１の強度を維持できる粗目スクリーンバー１１の幅Ｗ１を確保できるように、粗目・細目バースクリーンＳを、粗目・細目バースクリーンＳの前端縁、すなわち、粗目スクリーンバー１１の前端縁が、改修前の既設のバースクリーン式除塵機Ｊ０のバースクリーンＳ０の前端縁より流入側に（例えば、２５ｍｍ）位置するように設置するようにしている。
【００３０】
また、粗目・細目バースクリーンＳを本体構造物８側に支持するための受桁９は、必要とされる支持強度に応じて増設するようにする。
【００３１】
次に、図５に、バースクリーン式除塵機Ｊ０の改修方法の比較例を示す。
この比較例は、バースクリーン式除塵機Ｊ０におけるバースクリーンＳ０を、粗目スクリーンバー１１及び細目スクリーンバー２１を平行に配設、具体的には、間隔をあけて配設した粗目スクリーンバー１１の間に複数本の細目スクリーンバー２１を配設して構成した粗目・細目バースクリーンＳ’に置き換えるようにしたものである。
【００３２】
この場合、バースクリーン式除塵機Ｊ’の粗目・細目バースクリーンＳ’を構成する細目スクリーンバー２１の後端縁は、一般的な粗目・細目バースクリーンで採用されているように、粗目スクリーンバー１１の後端縁と一致させた構造としている。
【００３３】
ここで、バースクリーン式除塵機Ｊ’の粗目・細目バースクリーンＳを構成する粗目スクリーンバー１１の板厚Ｔ１（図示省略）は、例えば、９ｍｍに、粗目スクリーンバー１１の幅Ｗ１は、例えば、７５ｍｍに、粗目スクリーンバー１１の目幅Ｍ１（図示省略）は、例えば、８４ｍｍに、また、細目スクリーンバー２１の板厚Ｔ２（図示省略）は、例えば、（４〜）６ｍｍに、細目スクリーンバー２１の幅Ｗ２は、例えば、５０ｍｍに、細目スクリーンバー２１の目幅Ｍ２（図示省略）は、例えば、１２ｍｍに、それぞれ設定されている。
また、粗目・細目バースクリーンＳ’は、粗目スクリーンバー１１及び細目スクリーンバー２１を、通しボルト５１及びディスタンスピース５２を用いて組み立てるようにしている。
【００３４】
また、この比較例において、レーキ３’は、粗目・細目バースクリーンＳの粗目スクリーンバー１１間に挿入される平歯を形成した平板状のレーキ板３１’と、細目スクリーンバー２１間に挿入される櫛歯状レーキ３２とを組み合わせて構成するようにしている。
ここで、レーキ３’は、細目スクリーンバー２１間に捕捉されたゴミを櫛歯状レーキ３２によって掻き出し、掻き上げることができるように、細目スクリーンバー２１の幅方向の略全長に亘って挿入される形状にされている。
このため、既設のバースクリーン式除塵機Ｊ０のエプロン４をそのまま使用すると、エプロン４が、レーキ３’の櫛歯状レーキ３２と干渉することとなるため、この比較例では、エプロン４を改修して、流出側に（例えば、５０ｍｍ）後退して設置するようにしている。
【００３５】
上記実施例と比較例の対象箇所・部品の改修の要否を表１に示す。
【００３６】
【表１】
0006502242.tif 000002
【００３７】
表１からも明らかなように、本実施例のバースクリーン式除塵機の改修方法によれば、細目スクリーンバー２１間に捕捉されたゴミをレーキ３によって掻き出し、掻き上げることができるようにしながら、既設のバースクリーン式除塵機Ｊ０のエプロン４をそのまま使用してもレーキ３と干渉しないようにすることができ、改修が必要な箇所及び部品を少なくすることによって改修費用を抑制することができる。
なお、表１の本体構造物の欄において、比較例の改修の要否が「要」になっているのは、比較例においては、レーキ３の先端軌跡が変わるため、レーキ３が循環する際に干渉する本体構造物の改修が必要となることを示している。
【００３８】
以上、本発明のバースクリーン式除塵機の改修方法について、その実施例に基づいて説明したが、本発明は上記実施例に記載した構成に限定されるものではなく、その趣旨を逸脱しない範囲において適宜その構成を変更することができるものである。
【産業上の利用可能性】
【００３９】
本発明のバースクリーン式除塵機の改修方法は、改修が必要な箇所及び部品を少なくすることにより、改修費用を抑制することができることから、バースクリーン式除塵機のバースクリーンを、粗目スクリーンバー及び細目スクリーンバーを平行に配設して構成した粗目・細目バースクリーンに置き換える用途に好適に用いることができる。
【符号の説明】
【００４０】
Ｊ０  バースクリーン式除塵機（改修前）
Ｊ  バースクリーン式除塵機（改修後）
Ｊ’  バースクリーン式除塵機（比較例）
Ｓ０  バースクリーン（改修前）
Ｓ  粗目・細目バースクリーン（改修後）
Ｓ’  粗目・細目バースクリーン（比較例）
１０  スクリーンバー
Ｍ０  スクリーンバーの目幅
Ｔ０  スクリーンバーの板厚
Ｗ０  スクリーンバーの幅
１  粗目バースクリーン
１１  粗目スクリーンバー
Ｍ１  粗目スクリーンバーの目幅
Ｔ１  粗目スクリーンバーの板厚
Ｗ１  粗目スクリーンバーの幅
２  細目バースクリーン
２１  細目スクリーンバー
Ｍ２  細目スクリーンバーの目幅
Ｔ２  細目スクリーンバーの板厚
Ｗ２  細目スクリーンバーの幅
３０  レーキ（改修前）
３  レーキ（改修後）
３’  レーキ（比較例）
３１  レーキ板（改修後）
３１’  レーキ板（比較例）
３２  櫛歯状レーキ（比較例）
３３  ガイドレール
４  エプロン
５１  通しボルト
５２  ディスタンスピース
６１  ワイパー
６２  シュート
７  レーキ駆動機構
７１  本体スプロケット
７２  チェーン
８  本体構造物
９  受桁
【図１】
0006502242.tif 000003
【図２】
0006502242.tif 000004
【図３】
0006502242.tif 000005
【図４】
0006502242.tif 000006
【図５】
0006502242.tif 000007